(57)【特許請求の範囲】
【請求項１】
埋込水栓の設置空間に配設される水栓本体と、前記設置空間に導入された水道配管の端末具とを、配管ユニットを介して接続する埋込水栓の配管接続構造であって、前記配管ユニットは、前記水栓本体側及び前記端末具側にそれぞれ接続される軸心方向が互いに略直交方向の接続部を両端部に備え、一端側の接続部が前記水栓本体側又は前記端末具側に接続された状態で、該一端側の接続部の軸心方向にスライド自在且つ軸心回りに回動自在であることを特徴とする埋込水栓の配管接続構造。
【発明の詳細な説明】
【０００１】
【発明の属する技術分野】
本各発明は、埋込水栓の設置空間に配設される水栓本体と、前記設置空間に導入された水道配管の端末具とを、配管ユニットを介して接続する埋込水栓の配管接続構造に関する。
【０００２】
【従来の技術】
ユニットバスのカウンター内部等の設置空間に埋め込まれる埋込水栓の中には、水栓本体が設置空間にブラケット等を用いて固定され、水道配管がユニットバスの躯体の裏側から設置空間に導入されて、その端部の端末具が躯体の取付孔等にに固定されたものがある。そして、これらの水栓本体と水道配管の端末具とは、一般に、配管ユニットを介して接続されている。
【０００３】
このような埋込水栓の配管接続構造においては、まず配管ユニットの接続部の一端側を水栓本体側又は端末具側のいずれか一方に接続固定する。次いで、接続部の他端側を水栓本体側又は端末具側の他方に接続固定する。ここで、他端側の接続固定に際しては、配管ユニット全体をある程度撓ませて、接続固定する部材に的確に対応させている。
【０００４】
【発明が解決しようとする課題】
しかしながら、配管ユニットの剛性が高い場合や配管ユニットの長さが短い場合には、配管ユニットを撓ませ難いため、上記の接続固定作業が困難である。また、配管ユニットの一端側を接続固定すると、他端側の位置決めがなされることになるが、他端側に大きな位置ズレが生じていると、配管ユニットを大きく撓ませて他端側を接続固定しなければならず、その作業は一層困難となり、接続固定そのものが行えない場合もある。特に、一端側が固定される部材自体がそもそも正確に位置合わせされていない場合には、配管ユニットの他端側の位置ズレが顕著に生じる。また、一端側の軸心に対して他端側の軸心が略直交方向に設けられている場合には、一端側の軸心回りに他端側を正確に位置決めすることが困難であり、他端側の位置ズレを顕著に生じる。
【０００５】
本各発明は上記した従来の埋込水栓の配管接続構造の問題点を解消するものであり、配管ユニットの接続作業を容易に行うことができる埋込水栓の配管設置構造を提供することを目的とする。
【０００６】
【課題を解決するための手段】
以上の課題を解決するために、本各発明の採った手段を以下に説明する。本発明の請求項１に記載の埋込水栓の配管接続構造は、「埋込水栓の設置空間に配設される水栓本体と、前記設置空間に導入された水道配管の端末具とを、配管ユニットを介して接続する埋込水栓の配管接続構造であって、前記配管ユニットは、前記水栓本体側及び前記端末具側にそれぞれ接続される軸心方向が互いに略直交方向の接続部を両端部に備え、一端側の接続部が前記水栓本体側又は前記端末具側に接続された状態で、該一端側の接続部の軸心方向にスライド自在且つ軸心回りに回動自在であることを特徴とする埋込水栓の配管接続構造」である。
【０００７】
配管ユニットの接続部の一端側を水栓本体側又は端末具側の一方に接続し、次いで他端側を端末具側又は水栓本体側の他方に接続する場合に、配管ユニットが、一端側の接続作業が完了した状態で、一端側の接続部の軸心方向にスライド自在となっているので、他端側を一端側の軸心方向に移動させることができる。よって、他端側の接続作業を容易に行うことができる。
【０００８】
また、一端側の接続により、他端側において一端側の軸心方向に位置ズレが生じたとしても、配管ユニット全体をスライドさせることによりこの位置ズレを吸収することができ、接続作業を容易に行うことができる。さらに、他端側が接続される部材に対して挿嵌されたり螺着されたりする等、他端側の接続に際して一端側の軸心方向に移動が余儀なくされる場合には、この移動を許容させることができることから、他端側の接続作業を簡便化することができる。
【０００９】
このような配管接続構造は、配管ユニットが銅管等の剛性管から構成された剛性の高いものである場合や、配管ユニットが接続される水栓本体側と端末具側の部材の間隔が短く、配管ユニット全体が短い場合には、配管を撓ませることが困難なことから、このような場合に好適である。また、浴室のカウンター内等の狭い空間で配管ユニットの接続作業を余儀なくされる埋込水栓の配管接続構造として好適である。
【００１０】
尚、配管ユニットを軸心方向にスライド自在に設ける手段としては、例えば、一方の部材を他方の部材に水密を図りつつ軸心方向に移動可能に挿嵌接続するものなどを例示できる。
【００１２】
配管ユニットの両端部に設けられる接続部が、互いに略直交方向に設けられている場合、一端側を接続した状態において配管ユニットが一端側の軸心回りに回動自在となっているので、接続される相手側の部材に対して、他端側の接続部を一端側の軸心回りに円弧軌道で離隔・近接させることができる。よって、接続される部材に対して他端側を正確に位置決めしておく必要がなく、配管ユニットの接続作業を容易に行うことができる。
【００１５】
配管ユニットを一端側の接続部の軸心方向にスライド自在とすることにより、他端側の接続部を一端側の接続部の軸心方向に移動させてその位置を調節することができる。しかも、配管ユニットを一端側の接続部の軸心回りに回動自在とすることにより、他端側の接続部を一端側の接続部の軸心回りに移動させてその位置を調節することができる。よって、他端側の位置決めなどの調節がより広い範囲で行うことができ、他端側の接続作業をより一層容易に行うことができる。
【００２０】
【発明の実施の形態】
次に、本発明を適用した埋込水栓の配管接続構造の実施の形態を図１から図４を参考にして詳細に説明する。
【００２１】
本実施の形態に係る埋込水栓の配管接続構造１０は、図１及び図２に示すように、ユニットバス１内に設けられるカウンター２内に埋設された埋込水栓３の接続に用いられているものであり、この埋込水栓３は、吐水口４及びシャワーヘッド（図示省略）からの吐水量調節及び吐止水操作を行うための切換ハンドル５、及び吐水の温度調節を行うための温度調節ハンドル６を、カウンターの前面パネル７の取付孔１１から突出させて設置されている。
【００２２】
また、図２に示すように、埋込水栓３は、ユニットバス１の躯体の壁面８と、カウンター２の前面パネル７との間に設置されており、埋込水栓３の水栓本体１４は、ブラケット１２を介して壁面８にネジ止めされている。また、水栓本体１４にはシャワーヘッドへのシャワー配管１５が接続されるシャワー接続口１７が設けられている。
【００２３】
壁面８裏側には給水配管・給湯配管（図示省略）がそれぞれ配設されており、その端部には配管の端末具である配管アダプター１６がそれぞれ取り付けられている。配管アダプター１６には、内部に湯又は水を流通させる流路が設けられており、給湯配管及び給水配管から、それぞれ湯・水を水栓本体１４側に供給する。そしてこの配管アダプター１６が壁面８にそれぞれ取り付けられている。
【００２４】
以下、図３に示す湯側の配管アダプター１６・止水栓ユニット２６・配管ユニット６０について説明する。配管アダプター１６は、壁面８に設けられた取付孔９に、雄ねじが刻設された雄ねじ部１８が壁面８裏側から挿通されて取り付けられている。雄ねじ部１８の基端側には、取付孔９よりも大径の鍔部２０が周設されており、この鍔部２０を取付孔９周縁部に当接させ壁面８表側から雄ねじ部１８にナット２２を螺着し、鍔部２０とナット２２とで壁面８を狭持固定させるとともに、同時に配管アダプター１６の壁面８に対する位置決めがなされている。また、雄ねじ部１８の内周面には雌ねじが刻設されており、この雌ねじに、後述する配管ユニット６０の一端側の接続部６２が接続される止水栓ユニット２６が螺着接続されている。
【００２５】
止水栓ユニット２６には、略同軸線上に形成され雄ねじが設けられた、配管アダプター１６側の接続部２８、及び配管ユニット６０側の接続部３０とが設けられている。そしてこの接続部２８が配管アダプター１６の雌ねじ２４に螺着接続されている。止水栓ユニット２６内部には給湯配管から配管アダプター１６を経て流入される湯が流通する流路が形成されている。そして、前述した接続部２８内には第一流路３４が設けられ、接続部３０内には第二流路３６が設けられ、この第一・第二流路３４，３６間の収容室３７内にストレーナ付き止水栓３２が取り付けられている。
【００２６】
ストレーナ付き止水栓３２は、スピンドル３８と、このスピンドル３８の回りに装着されたストレーナ４０とを備えている。スピンドル３８基端側には湯を流通可能な流通孔４２を備えた雄ねじ部４４が設けられている。この雄ねじ部４４が収容室３７内の雌ねじ部４５に螺着されて、スピンドル３８が収容室内に取り付けられるとともに、スピンドル３８先端部に設けられた溝４６に工具などを挿入して回動操作を行うことにより、スピンドル３８全体が進退動作を行う。雄ねじ部４４が収容室３７の雌ねじ部４５側に位置するときは、スピンドル３８の弁体５４が収容室３７の弁座５６に着座するとともに流通孔４２が閉止され湯の流通が停止された状態とされる。スピンドル３８を後退させると、雄ねじ部４４は収容室３７の開放部４８に位置される。開放部４８は常に第二流路３６に連通されており、雄ねじ部４４の流通孔４２が開放部４８に連通すると、流通孔４２と開放部４８とを経て、第一流路３４と第二流路３６とが連通され、湯が流入される。
【００２７】
ストレーナ４０は、収容室３７の開口部３９に螺着されたキャップ５０に取り付けられて、スピンドル３８の回りに嵌装されて収容室３７の開放部４８に取り付けられている。そして、上述したように、スピンドル３８を回動操作して、流通孔４２を開放部４８に連通させ湯を流通させた際に、流通孔４２から開放部４８に流通する湯に含まれる不純物を濾過するように構成されている。また、キャップ５０には、スピンドル３８の先端側が挿通される挿通孔５２が穿設されており、この挿通孔５２に挿通されたスピンドル３８の回動操作がキャップ５０を開口部３９に装着したまま行えるように構成されている。これにより、ストレーナ４０のメンテナンス時には、予めスピンドル３８の回動操作を行って止水栓ユニット２６内の流路を閉止した後に、キャップ５０ごとストレーナ４０を取り外すことができる。なお、キャップ５０と開口部３９、スピンドル３８先端部外周面とキャップ５０の挿通孔５２内周面にはシール部材が介され、それぞれの部材間の水密が図られている。そして、止水栓ユニット２６の接続部３０に配管ユニット６０が取り付けられている。
【００２８】
止水栓ユニット２６の接続部３０には、配管ユニット６０の一端側の接続部６２が接続されている。接続部６２には、配管６４の端部にロウ付けされた鍔部６６と、鍔部６６が挿嵌された状態で、止水栓ユニット２６の接続部３０に螺着固定されるナット６８とが備えられている。ナット６８には、配管６４が挿通される小径部７０と、雌ねじが刻設されて接続部６０に螺着される大径部７２とが備えられている。
【００２９】
小径部７０には、配管６４の外径よりも僅かに大径に設けられ配管６４をスライド自在な挿通孔７４が設けられている。また、小径部７０の内径は、配管６４の鍔部６６の外径よりも僅かに大きく設けられている。大径部７２には、上述したように止水栓ユニット２６の接続部３０が螺着される雌ねじが刻設されている。大径部７２の内周面は、接続部３０の外径と略同一に設けられており、小径部７０と大径部７２との境には段部７６が形成されている。
【００３０】
配管６４の端部は、予め鍔部６６をナット６８内に配置させて挿通孔７４に挿通されている。鍔部６６の外周面にはシール部材７８が装着されており、ナット６８の小径部７０内面との水密が図られている。そして、大径部７２内に止水栓ユニット２６の接続部３０が螺着されている。上述した段部７６と接続部３０端面との間にはシール部材８０が介在されており、ナット６８と接続部３０との水密が図られるとともに、段部７６に接続部３０端部が当接されて接続部３０のナット６８に対する位置決めがなされている。
【００３１】
ここで、配管６４の鍔部６６はナット６８内で固定されておらず、その軸心方向に沿ってスライド自在に設けられている。また、その軸心回りに回動自在に設けられている。よって、ナット６８を接続部３０に螺着し接続した後であっても、配管６４をスライドさせたり回動させることが可能である。
【００３２】
配管６４は、一端側の接続部６２側から他端側の接続部８２側にかけて上方に向けて、かつ平面視略周回状に屈曲されて形成されており、接続部６２と接続部８２とはその軸心方向が互いに略直交するように設けられている。そして、接続部８２側において、水栓本体１４に接続されている。
【００３３】
図４に示すように、接続部８２には、配管６４の端部にロウ付けされた鍔部８４と、鍔部８４を係止して、水栓本体１４の接続口１９に螺着固定されるナット８８とが備えられている。鍔部８２には、鍔部８２先端側を大径部とする段部８６が形成されており、ナット８８に設けられた挿通孔９０周縁部にこの段部が係止されて水栓本体１４側に接続固定されている。
【００３４】
水栓本体１４には、湯側の接続口１９が設けられておりこの接続口１９には雄ねじが刻設されている。そして、接続口１９の端面と、配管６４の鍔部８４とがシール部材９２を介して衝合され、鍔部８４の段部８６に係止されたナット８８が、接続口１９に螺着固定され、もって接続部８２と水栓本体１４の接続口１９とが接続固定されている。また、接続口１９には、公知の逆止弁ユニット９３が装着されている。
【００３５】
なお、上記した湯側の配管アダプター１６、湯側の止水栓ユニット２６及び湯側の配管ユニット６０などと同様に、水側の配管アダプター１６，止水栓ユニット２６及び配管ユニット６０なども構成されている。
【００３６】
上記のように構成された配管接続構造１０において、配管ユニット６０を止水栓ユニット２６及び水栓本体１４に取り付けるには、まず止水栓ユニット２６に配管ユニット６０の接続部６２を上述したように接続する。この特、止水栓ユニット２６の接続部３０に接続された状態で、配管ユニット６０が接続部６２の軸心方向にスライド自在であるため、配管ユニット６０の他端側の接続部８２を、接続部６２の軸心に沿って正確に位置決めすることができる。特に、止水栓ユニット２６自体が配管アダプター１６に対してテーパーねじにより螺着固定されているため、止水栓ユニット２６の配管アダプター１６に対する取付位置は、そのねじの締め具合によりおよそ±５ｍｍの範囲で変動するのであるが、上記のように配管ユニット６０自体が止水栓ユニット２６に対してスライド自在に設けられているので、このような変動があっても、他端側の接続部８２の的確な位置決めを行うことができる。
【００３７】
また、止水栓ユニット２６の接続部３０に接続された状態で、配管ユニット６０が接続部６２の軸心回りに回動自在であるため、配管ユニット６０の他端側の接続部８２を、水栓本体１４の接続口１９に正確に対応するように予め位置決め固定しておく必要はない。何故ならば、配管ユニット６０の接続部６２を止水栓ユニット２６に単に接続してさえおけば、配管ユニット６０と水栓本体１４との接続に際しては、配管ユニット６０を回動させることで、接続部８２を水栓本体１４の接続口１９に的確に対応させることができるからである。
【００３８】
本各発明は、上記した実施の形態に限られるものではなく、本各発明の趣旨の範囲内で種々の変更が可能である。図５に示すのは、配管ユニット６０の具体的な構造の別の例である。この配管ユニット６０では、その接続部９４が、配管６４の先端に設けられ、止水栓ユニット２６の接続部３０内に直接、スライド自在に挿嵌される鍔部６６と、配管６４を挿通する挿通孔９８を有し、止水栓ユニット２６の接続部３０に螺着されて上記鍔部６６の抜けを防止するナット９６とにより構成されている。ここで、本例では、配管の鍔部６６の外径が接続部３０の内径より僅かに小さく設けられ、鍔部６６の外周面に装着されたシール部材７８を介して水密を図りながら、鍔部６６が接続部３０内周面にスライド自在に挿嵌されている。本例の場合には、上記した第一の実施の形態における接続部３０端面とナット６８の段部７６との間のシール部材８０を省略することができる。
【００３９】
尚、配管ユニット６０を、一端側の接続部６２の軸心方向にスライド自在のみ、または、配管ユニット６０を、一端側の接続部６２の軸心回りに回動自在にのみ、設けることとしても良い。また、本例では、配管ユニット６０をスライド自在、軸心回りに回動自在とする一端側の接続部６２を、水道配管の端末具側である止水栓ユニット２６に接続したが、これに限られず、水栓本体１４側に接続してもよい。さらに、水栓本体１４と水道配管の端末具との間に他の配管や、継手等の各種の機器等が介在される場合には、水栓本体１４と水道配管の端末具との間において、他の配管や各種の機器に配管ユニット６０を接続してもよい。さらにまた、本実施の形態では、接続部６２，８２を構成するユニオンナットであるナット６８，６８を配管ユニット６０側に取着した例を示したが、これに限られず、接続部６２，８２が接続される水栓本体１４側の部材や水道配管の端末具側の部材にユニオンナットを取着しても良い。
【００４０】
【発明の効果】
本発明の埋込水栓の配管接続構造は、上記のように構成されているので、配管ユニットの接続作業を容易に行うことができる。
【図面の簡単な説明】
【図１】本各発明に係る配管接続構造を用いた埋込水栓を示す斜視図である。
【図２】配管接続構造の平面図である。
【図３】図２の配管接続構造のＡ−Ａ断面図である。
【図４】図２の配管接続構造の一部拡大破断面図である。
【図５】配管ユニットの別の例を示す縦断面図である。
【符号の説明】
１；ユニットバス、２；カウンター、３；埋込水栓、４；吐水口、５；切換ハンドル、６；温度調節ハンドル、７；前面パネル、８；壁面、９；取付孔、１０；配管接続構造、１１；取付孔、１２；ブラケット、１４；水栓本体、１５；シャワー配管、１６；配管アダプター、１７；シャワー接続口、１８；雄ねじ部、１９；接続口、２０；鍔部、２２；ナット、２６；止水栓ユニット、２８；接続部、３０；接続部、３２；ストレーナ付き止水栓、３４；第一流路、３６；第二流路、３７；収容室、３８；スピンドル、３９；開口部、４０；ストレーナ、４２；流通孔、４４；雄ねじ部、４５；雌ねじ部、４６；溝、４８；開放部、５０；キャップ、５２；挿通孔、５４；弁体、５６；弁座、６０；配管ユニット、６２；接続部、６４；配管、６６；鍔部、６８；ナット、７０；小径部、７２；大径部、７４；挿通孔、７６；段部、７８；シール部材、８０；シール部材、８２；接続部、８４；鍔部、８６；段部、８８；ナット、９０；挿通孔、９２；シール部材、９３；逆止弁ユニット、９４；接続部、９６；ナット。
【図１】
0004636713.tif 000002
【図２】
0004636713.tif 000003
【図３】
0004636713.tif 000004
【図４】
0004636713.tif 000005
【図５】
0004636713.tif 000006